(57)【要約】【課題】蓋体を外枠体に対して能率的に取り付けられるとともに、蓋体に箱孔部が不要であるようにする。【解決手段】外枠体１０の第１側縁部３０Ａ，第２側縁部３０Ｂに第１ピン３２Ａ，第２ピン３２Ｂが設けられ、それに対応して、蓋体４０の第１側辺部７０Ａ，第２側辺部７０Ｂには第１ピン用孔部７２Ａ，第２ピン用孔部７２Ｂが形成されている。基辺部６０及び第２側辺部７０Ｂには、その上縁部を残し、枠部５０の外側と第２ピン用孔部７２Ｂとを連通させる第２ピン着脱用切欠部６５，７５が形成されている。多数の横桟部８１のうち第１ピン用孔部７２Ａ，第２ピン用孔部７２Ｂ及び第２ピン着脱用切欠部６５，７５に対応する部分には、その上縁部を残し、第１ピン３２Ａ，第２ピン３２Ｂとの干渉を回避する第１ピン干渉回避用切欠部８５ａ，第２ピン干渉回避用切欠部８５ｂが形成されている。【選択図】    図３
2004324040.tif 000002
【特許請求の範囲】
【請求項１】
外枠体の一縁部の近傍を基準に蓋体が開閉可能に取り付けられ、桝に対して設けられる桝用蓋装置であって、
前記外枠体は、ほぼ同一軸線上において相互に対向して当該外枠体の内側方向に突出する一対の第１ピン及び第２ピンを有し、
前記蓋体は、前記外枠体に対応する枠部を有し、
前記枠部は、
前記第１ピンが相対的に回動可能に嵌合される第１ピン用孔部と、
前記第２ピンが相対的に回動可能に嵌合される第２ピン用孔部と、
その上縁部を残し、当該枠部の外側と前記第２ピン用孔部とを当該第２ピン用孔部の軸線方向とは異なる方向に沿って連通させる第２ピン着脱用連通部と
を有する、桝用蓋装置。
【請求項２】
請求項１に記載の桝用蓋装置であって、
前記蓋体は、さらに、前記枠部内に設けられた複数本の桟部を有し、
前記複数本の桟部のうち前記第１ピン用孔部に対応する部分には、その上縁部を残し、前記第１ピンとの干渉を回避する第１ピン干渉回避部が形成され、
前記複数本の桟部のうち前記第２ピン用孔部及び前記第２ピン着脱用連通部に対応する部分には、その上縁部を残し、前記第２ピンとの干渉を回避する第２ピン干渉回避部が形成されている、
桝用蓋装置。
【請求項３】
請求項１又は請求項２に記載の桝用蓋装置であって、
前記外枠体は矩形状をなし、基縁部と、前記基縁部に隣接し相互に対向する一対の側縁部とを有し、
前記第１ピン及び前記第２ピンは、前記各側縁部のうちの前記基縁部の近傍に設けられ、
前記枠部は、前記外枠体に対応して矩形状をなし、前記外枠体の基縁部に対応する基辺部と、前記基辺部に隣接し前記外枠体の各側縁部に対応する一対の側辺部である第１側辺部及び第２側辺部とを有し、
前記第１ピン用孔部は、前記第１側辺部に形成され、
前記第２ピン用孔部は、前記第２側辺部に形成され、
前記第２ピン着脱用連通部は、前記第２ピン用孔部と前記基辺部との間にわたって、前記第２側辺部及び前記基辺部に形成されている、
桝用蓋装置。
【発明の詳細な説明】
【０００１】
【発明の属する技術分野】
本発明は、桝に対して設けられる桝用蓋装置に関するものである。
【０００２】
【従来の技術】
従来の桝用蓋装置として、次のようなものがある。
図１５に示すように、その桝用蓋装置は、ともにほぼ正方形状（矩形状）の外枠体１１０及び蓋体１４０を有している。
【０００３】
外枠体１１０は、一の基縁部１２０と、それに隣接する一対の側縁部（第１側縁部１３０Ａ，第２側縁部１３０Ｂ）と、基縁部１２０と対向する対向縁部１２８を有している。
図１５及び図１６（ａ）に示すように、第１側縁部１３０Ａのうちの基縁部１２０の近傍には、ピン１３２Ａが固定されている。ピン１３２Ａは、第２側縁部１３０Ｂに向かって突出している。
図１５及び図１６（ｂ）に示すように、第２側縁部１３０Ｂのうちの基縁部１２０の近傍には、ボルト孔１３３が形成されているとともに、ナット１３４が結合されている。
【０００４】
蓋体１４０は、一般的にグレーチングと称されるものである。
図１５に示すように、蓋体１４０は、外枠体１１０に対応した枠部１５０を有している。枠部１５０は、一の基辺部１６０と、それに隣接する一対の側辺部（第１側辺部１７０Ａ，第２側辺部１７０Ｂ）と、基辺部１６０と対向する対向辺部１６８を有している。
【０００５】
基辺部１６０と対向辺部１６８との間には、基辺部１６０及び対向辺部１６８と平行に延びる多数の横桟部１８１が配設されている。各横桟部１８１は、原則として、その各端部が第１側辺部１７０Ａ，第２側辺部１７０Ｂに接続されている。
第１側辺部１７０Ａ，第２側辺部１７０Ｂの間には、第１側辺部１７０Ａ及び第２側辺部１７０Ｂと平行に延びる複数の縦桟部１８２が配設されている。各縦桟部１８２は、その一端部が基辺部１６０に接続され、他端部が対向辺部１６８に接続されている。
【０００６】
蓋体１４０の第１側辺部１７０Ａ，第２側辺部１７０Ｂには、外枠体１１０のピン１３２Ａ，ボルト孔１３３に対応して、ともに長孔状のピン用孔部１７２Ａ，ボルト用孔部１７２Ｂが形成されている。
【０００７】
蓋体１４０には、ピン用孔部１７２Ａ，ボルト用孔部１７２Ｂに対応して、箱孔部１９０Ａ，１９０Ｂが形成されている。
すなわち、図１５及び図１６に示すように、多数の横桟部１８１のうち、基辺部１６０の近傍の数本（この場合は２本）については、その各端部は、第１側辺部１７０Ａ，第２側辺部１７０Ｂに接続されておらず、それらよりも対向辺部１６８の側の横桟部１８１と基辺部１６０とつなぐ補助桟部１８４に対して接続されている。
【０００８】
そして、蓋体１４０は、外枠体１１０に対して、次のように取り付けられる。
まず、図１６（ａ）に示すように、ピン用孔部１７２Ａにピン１３２Ａが嵌合（回動可能）されるようにして、蓋体１４０が、外枠体１１０の内部に収容される。その際、ピン１３２Ａのうちの先端部の側の部分は、箱孔部１９０Ａ内に位置する。
次に、図１６（ｂ）に示すように、箱孔部１９０Ｂに対してボルト１３２Ｂが収容され、ボルト１３２Ｂ（その軸部）は、ボルト用孔部１７２Ｂを回動可能に貫通され、さらにボルト孔１３３を通してナット１３４に螺着される。
【０００９】
以上のようにして、蓋体１４０は、外枠体１１０に対して、ピン１３２Ａ及びボルト１３２Ｂを基準にして開閉可能に取り付けられる。
そして、桝の内部の点検等の際に、蓋体１４０が開けられる。
【００１０】
【発明が解決しようとする課題】
しかしながら、上述のようにして蓋体１４０を外枠体１１０に対して取り付ける作業は、能率が良くない。
すなわち、予めボルト１３２Ｂを別個用意しておき、そのボルト１３２Ｂを箱孔部１９０Ｂに収容して、ナット１３４に対して螺着させる、という作業は、能率が良くない。
【００１１】
また、上述の桝用蓋装置では、蓋体１４０が外枠体１１０に対してピン１３２Ａ及びボルト１３２Ｂを基準にして開閉可能に取り付けられるために、箱孔部１９０Ａ，１９０Ｂが形成されている。
すなわち、箱孔部１９０Ａは、横桟部１８１とピン１３２Ａとの干渉を回避するために形成されている。また、箱孔部１９０Ｂは、ボルト１３２Ｂの取付作業のため、及び、横桟部１８１とボルト１３２Ｂ（そのうちの頭部）との干渉を回避するために形成されている。
【００１２】
しかしながら、箱孔部１９０Ａ，１９０Ｂにおいては、横桟部１８１が存在しておらず、横桟部１８１の密度が他の部分よりも粗くなっているため、その上を通行者が通行する際に、ハイヒールの靴のヒール部や、杖や、ベビーカーの輪等が箱孔部１９０Ａ，１９０Ｂにはまってしまうことがある。
【００１３】
そこで、本発明は、外枠体の一縁部の近傍を基準に開閉可能に蓋体が取り付けられる桝用蓋装置であって、蓋体を外枠体に対して能率的に取り付けることが可能である装置を提供することを第１の課題とする。また、蓋体に箱孔部が不要である装置を提供することを第２の課題とする。
【００１４】
【課題を解決するための手段】
上記の課題を解決するために、請求項１に係る発明は、外枠体の一縁部の近傍を基準に蓋体が開閉可能に取り付けられ、桝に対して設けられる桝用蓋装置であって、前記外枠体は、ほぼ同一軸線上において相互に対向して当該外枠体の内側方向に突出する一対の第１ピン及び第２ピンを有し、前記蓋体は、前記外枠体に対応する枠部を有し、前記枠部は、前記第１ピンが相対的に回動可能に嵌合される第１ピン用孔部と、前記第２ピンが相対的に回動可能に嵌合される第２ピン用孔部と、その上縁部を残し、当該枠部の外側と前記第２ピン用孔部とを当該第２ピン用孔部の軸線方向とは異なる方向に沿って連通させる第２ピン着脱用連通部とを有する、桝用蓋装置である。
【００１５】
「当該外枠体の内側方向」とは、外枠体によって形成される２次元空間における内側のことをいう。
また、第２ピン着脱用連通部は、直線状の構造に限らず、曲線状の構造も含まれる。
「当該枠部の外側」とは、枠部によって形成される２次元空間における外側の場合に限らず、枠部によって形成される３次元空間における外側の場合も含まれる。すなわち、枠部（水平にした状態）の下方も含まれる。
【００１６】
この発明の桝用蓋装置では、外枠体に対して蓋体が次のように取り付けられる。すなわち、まず、第１ピンが第１ピン用孔部に対して嵌合される。次に、第２ピン着脱用連通部を通して、第２ピンが第２ピン用孔部に導かれ、第２ピンが第２ピン用孔部に対して嵌合される。
このように、この発明の桝用蓋装置では、外枠体に対して予め取り付けられた第１ピン及び第２ピンが、枠部（蓋体）の第１ピン用孔部及び第２ピン用孔部に対して各々嵌合されるようにして、蓋体が外枠体に対して取り付けられることが可能である。
このため、ボルトを別個用意しておいて、当該ボルトをナットに対して螺着させる、という作業が不要となり、外枠体に対する蓋体の取付作業の能率が向上する。
【００１７】
なお、第１ピン用孔部に対しても、枠部の外側と当該第１ピン用孔部とを連通させる第１ピン着脱用連通部が形成されていてもよい。
【００１８】
また、第２ピン着脱用連通部については、第１ピンが第１ピン用孔部に嵌合した状態で第２ピンが第２ピン用孔部に導かれる構造に限らず、上記のように第１ピン用孔部に対しても第１ピン着脱用連通部が形成されている場合には、第１ピン用孔部に対して第１ピンが嵌合される途中の状態で第２ピンが第２ピン用孔部に導かれる構造もあり得る。
また、当該第１ピン着脱用連通部は、第２ピン用孔部に対する第２ピンの嵌合作業前の状態で第１ピンが第１ピン用孔部に導かれる構造でもよい。また、第１ピン用孔部に対する第１ピンの嵌合作業と第２ピン用孔部に対する第２ピンの嵌合作業が同時に行われ得る構造でもよい。
【００１９】
請求項２に係る発明は、請求項１に係る発明の桝用蓋装置であって、前記蓋体は、さらに、前記枠部内に設けられた複数本の桟部を有し、前記複数本の桟部のうち前記第１ピン用孔部に対応する部分には、その上縁部を残し、前記第１ピンとの干渉を回避する第１ピン干渉回避部が形成され、前記複数本の桟部のうち前記第２ピン用孔部及び前記第２ピン着脱用連通部に対応する部分には、その上縁部を残し、前記第２ピンとの干渉を回避する第２ピン干渉回避部が形成されている、桝用蓋装置である。
【００２０】
この発明の桝用蓋装置では、請求項１に係る発明の作用及び効果に加えて、次の作用及び効果が得られる。
蓋体が枠部内に複数本の桟部を有し、その桟部のうち第１ピン用孔部に対応する部分には第１ピンとの干渉を回避する第１ピン干渉回避部が形成され、第２ピン用孔部及び第２ピン着脱用連通部に対応する部分には第２ピンとの干渉を回避する第２ピン干渉回避部が形成されている。このため、蓋体は、外枠体に対して円滑に取り付けられ得る。
【００２１】
そして、その第１干渉回避部及び第２干渉回避部は、当該桟部において、当該桟部の上縁部を残して形成されている。
このようにして、すべての桟部の少なくとも上縁部は、外枠体に対する蓋体の取り付けの機構のために欠落させられる必要がないこととなる。
このため、この桝用蓋装置では、通行者が円滑に通行することが可能となり得る。
【００２２】
なお、前述したように第１ピン用孔部に対しても枠部の外側と当該第１ピン用孔部とを連通させる第１ピン着脱用連通部が形成されている場合は、第１ピン干渉回避部は、当該第１ピン着脱用連通部にも対応している必要がある。
【００２３】
請求項３に係る発明は、請求項１又は請求項２に係る発明の桝用蓋装置であって、前記外枠体は矩形状をなし、基縁部と、前記基縁部に隣接し相互に対向する一対の側縁部とを有し、前記第１ピン及び前記第２ピンは、前記各側縁部のうちの前記基縁部の近傍に設けられ、前記枠部は、前記外枠体に対応して矩形状をなし、前記外枠体の基縁部に対応する基辺部と、前記基辺部に隣接し前記外枠体の各側縁部に対応する一対の側辺部である第１側辺部及び第２側辺部とを有し、前記第１ピン用孔部は、前記第１側辺部に形成され、前記第２ピン用孔部は、前記第２側辺部に形成され、前記第２ピン着脱用連通部は、前記第２ピン用孔部と前記基辺部との間にわたって、前記第２側辺部及び前記基辺部に形成されている、桝用蓋装置である。
【００２４】
ここで、「矩形状」とは、広義の長方形状を意味し、正方形状も含まれる。
【００２５】
この発明の桝用蓋装置では、外枠体に対して蓋体が次のように取り付けられる。
すなわち、外枠体及び枠部（蓋体）が矩形状をしており、外枠体の一方の側縁部のうちの基縁部の近傍に設けられた第１ピンが、枠部（蓋体）の第１側辺部に形成された第１ピン用孔部に対して嵌合される。
また、枠部（蓋体）の基辺部及び第２側辺部に形成されている第２ピン着脱用連通部を通して、外枠体の他方の側縁部のうちの基縁部の近傍に設けられた第２ピンが、枠部（蓋体）の第２側辺部に形成された第２ピン用孔部に導かれ、第２ピンが第２ピン用孔部に対して嵌合される。
こうして、この発明の桝用蓋装置では、請求項１又は請求項２に係る発明の桝用蓋装置と同様の効果が得られる。
また、この発明では、外枠体及び枠部（蓋体）が矩形状のため、他の形状の場合と比較して、製造が容易である。
【００２６】
また、請求項３に係る発明に関連して、次の発明も考えられる。
「請求項１又は請求項２に記載の桝用蓋装置であって、
前記外枠体は矩形状をなし、基縁部と、前記基縁部に隣接し相互に対向する一対の側縁部とを有し、
前記第１ピン及び前記第２ピンは、前記各側縁部のうちの前記基縁部の近傍に設けられ、
前記枠部は、前記外枠体に対応して矩形状をなし、前記外枠体の基縁部に対応する基辺部と、前記基辺部に隣接し前記外枠体の各側縁部に対応する一対の側辺部である第１側辺部及び第２側辺部とを有し、
前記第１ピン用孔部は、前記第１側辺部に形成され、
前記第２ピン用孔部は、前記第２側辺部に形成され、
前記第２ピン着脱用連通部は、前記第２ピン用孔部と前記第２側辺部の下縁部との間にわたって、前記第２側辺部に形成されている、
桝用蓋装置。」
【００２７】
【発明の実施の形態】
［実施形態１］
次に、本発明の実施形態１について、図１〜図１２に基づいて説明する。
図１〜図３に示すように、この桝用蓋装置は、外枠体１０及び蓋体４０を有している。
そして、図１及び図９に示すように、この桝用蓋装置は、複数の流路Ｄが接続する桝Ｊの上端部に対して設けられる。
【００２８】
図２及び図３に示すように、外枠体１０は、ほぼ正方形状（矩形状）をなしていている。外枠体１０は、一の基縁部２０と、それに隣接する一対の側縁部（第１側縁部３０Ａ，第２側縁部３０Ｂ）と、基縁部２０と対向する対向縁部２８を有している。
各側縁部（第１側縁部３０Ａ，第２側縁部３０Ｂ）のうちの基縁部２０の近傍には、ピン（第１ピン３２Ａ，第２ピン３２Ｂ）が固定されている。各ピン３２Ａ，３２Ｂは、同一軸線上において、各側縁部３０Ａ，３０Ｂから他方の側縁部３０Ｂ，３０Ａに向かって突出している。
【００２９】
蓋体４０は、一般的にグレーチングと称されるものであり、外枠体１０に対応して、ほぼ正方形状（矩形状）をしている。
蓋体４０は、外枠体１０に対応した枠部５０を有している。枠部５０は、一の基辺部６０と、それに隣接する一対の側辺部（第１側辺部７０Ａ，第２側辺部７０Ｂ）と、基辺部６０と対向する対向辺部６８を有している。
【００３０】
図２及び図４に示すように、第１側辺部７０Ａには、第１ピン用孔部７２Ａが形成されている。第１ピン用孔部７２Ａは、第１ピン３２Ａに対応して形成され、基辺部６０の側から対向辺部６８の側に向かうにつれて下方から上方に向かう長孔状をしている。
第１ピン３２Ａは、第１ピン用孔部７２Ａに対して嵌合可能である。図１１に示すように、第１ピン用孔部７２Ａに対して第１ピン３２Ａが嵌合した状態で、第１ピン３２Ａは、第１ピン用孔部７２Ａに対して相対的に自身の軸回り方向に回転可能であり、かつ、第１ピン用孔部７２Ａの長手方向に相対的に変位可能である。
【００３１】
上述と同様に、図３及び図５に示すように、第２側辺部７０Ｂには、第２ピン用孔部７２Ｂが形成されている。第２ピン用孔部７２Ｂは、第２ピン３２Ｂに対応して形成され、基辺部６０の側から対向辺部６８の側に向かうにつれて下方から上方に向かう長孔状をしている。
第２ピン３２Ｂは、第２ピン用孔部７２Ｂに対して嵌合可能である。図１２に示すように、第２ピン用孔部７２Ｂに対して第２ピン３２Ｂが嵌合した状態で、第２ピン３２Ｂは、第２ピン用孔部７２Ｂに対して相対的に自身の軸回り方向に回転可能であり、かつ、第２ピン用孔部７２Ｂの長手方向に相対的に変位可能である。
【００３２】
図３及び図５に示すように、基辺部６０及び第２側辺部７０Ｂには、第２ピン３２Ｂに対応して、第２ピン着脱用切欠部６５，７５が形成されている。第２ピン着脱用切欠部６５，７５が、本発明の第２ピン着脱用連通部に該当する。
【００３３】
第２ピン着脱用切欠部６５は、基辺部６０の上縁部及び下縁部を残して、基辺部６０のうちの第２側辺部７０Ｂの側の端部から第１側辺部７０Ａの側に向かって形成されている。
なお、第２ピン着脱用切欠部６５は、基辺部６０の下縁部にまで及んでいてもよい。
【００３４】
第２ピン着脱用切欠部７５は、第２側辺部７０Ｂの上縁部及び下縁部を残して、第２側辺部７０Ｂのうちの基辺部６０の側の端部から第２ピン用孔部７２Ｂに到っている。そして、第２側辺部７０Ｂ（蓋体４０）が水平の状態において、第２ピン着脱用切欠部７５は、水平に、かつ、直線状に延びている。
第２ピン着脱用切欠部７５のうちの基辺部６０の側の端部は、基辺部６０の第２ピン着脱用切欠部６５のうちの第２側辺部７０Ｂの側の端部と連続している。すなわち、第２ピン着脱用切欠部７５は、基辺部６０の第２ピン着脱用切欠部６５から第２ピン用孔部７２Ｂに到っているともいえる。
なお、第２ピン着脱用切欠部７５は、第２側辺部７０Ｂの下縁部にまで及んでいてもよい。
【００３５】
図２及び図３等に示すように、基辺部６０と対向辺部６８との間には、多数の横桟部８１が配設されている。各横桟部８１は、基辺部６０及び対向辺部６８と平行に延びており、すべての横桟部８１は、その一端部が第１側辺部７０Ａに接続され、他端部が第２側辺部７０Ｂに接続されている。
第１側辺部７０Ａと第２側辺部７０Ｂとの間には、複数の縦桟部８２が配設されている。各縦桟部８２は、第１側辺部７０Ａ及び第２側辺部７０Ｂと平行に延びており、その一端部が基辺部６０に接続され、他端部が対向辺部６８に接続されている。
【００３６】
図４〜図６に示すように、ほとんどの横桟部８１Ｕ（８１）は、その長さ方向において同一寸法の幅（蓋体４０の高さ方向の長さ）を有する帯板状をしている。
【００３７】
一方、基辺部６０に最も近い横桟部８１（第１横桟部８１Ａということとする）及びその次の横桟部８１（第２横桟部８１Ｂということとする）は、次のように形成されている。
図４，図５，図１１，図１２に示すように、第１横桟部８１Ａ及び第２横桟部８１Ｂは、第１ピン用孔部７２Ａ及び第２ピン用孔部７２Ｂ（前述したように、ともに長孔状をしている）に対応する位置にある。
【００３８】
図４，図６（ｂ），図１１に示すように、第１横桟部８１Ａ及び第２横桟部８１Ｂのうちの第１側辺部７０Ａの側の端部（第１端部８４ａということとする）には、第１ピン用孔部７２Ａ（図２も参照）に対応して、第１ピン干渉回避用切欠部８５ａ（本発明の第１ピン干渉回避部に該当する）が形成されている。
図４，図６（ｂ），図１１に示すように、第１ピン干渉回避用切欠部８５ａは、第１横桟部８１Ａ及び第２横桟部８１Ｂの上縁部及び下縁部を残し、第１横桟部８１Ａ及び第２横桟部８１Ｂの第１端部８４ａから第２端部８４ｂに向けて形成されている。
なお、第１ピン干渉回避用切欠部８５ａは、第１横桟部８１Ａ及び第２横桟部８１Ｂの下縁部にまで及んでいてもよい（すなわち、上縁部のみを残して形成されていてもよい）。
【００３９】
同様にして、図５，図６（ｂ），図１２に示すように、第１横桟部８１Ａ及び第２横桟部８１Ｂのうちの第２側辺部７０Ｂの側の端部（第２端部８４ｂということとする）には、第２ピン用孔部７２Ｂ（図３も参照）に対応して、第２ピン干渉回避用切欠部８５ｂ（本発明の第２ピン干渉回避部に該当する）が形成されている。また、第２ピン干渉回避用切欠部８５ｂは、第２ピン着脱用切欠部６５，７５にも対応している。
図５，図６（ｂ），図１２に示すように、第２ピン干渉回避用切欠部８５ｂは、第１横桟部８１Ａ及び第２横桟部８１Ｂの上縁部及び下縁部を残し、第１横桟部８１Ａ及び第２横桟部８１Ｂの第２端部８４ｂから第１端部８４ａに向けて形成されている。
なお、第２ピン干渉回避用切欠部８５ｂも、第１横桟部８１Ａ及び第２横桟部８１Ｂの下縁部にまで及んでいてもよい（すなわち、上縁部のみを残して形成されていてもよい）。
【００４０】
また、図２，図３，図１０に示すように、蓋体４０には、周知の構造の把持部５８が設けられている。
把持部５８は、上辺部，下辺部及びそれらをつなぐ一対の縦辺部を有し、ほぼ矩形のリング状をしている。そして、蓋体４０が水平にされた状態で、上辺部（その上縁部）が横桟部８１の上縁部とほぼ面一に位置する非使用位置と、上辺部が横桟部８１よりも上方に位置し、下辺部が縦桟部（８２）（正確には、当該部分にのみ設けられた補助的な縦桟部）の下縁部に当接する使用位置との間を移動可能である。
【００４１】
次に、この桝用蓋装置における外枠体１０に対する蓋体４０の取付方法及び使用方法について説明する。
まず、図７（ａ）→（ｂ）に示すように、外枠体１０の第１ピン３２Ａを蓋体４０の第１ピン用孔部７２Ａに嵌合させる。
その嵌合状態において、図１１に示すように、第１ピン３２Ａと第１横桟部８１Ａ及び第２横桟部８１Ｂとは、横桟部８１Ａ，８１Ｂの第１ピン干渉回避用切欠部８５ａにおいて、干渉が回避されている（後に詳述する）。
【００４２】
次に、図８（ａ）→（ｂ）→（ｃ）に示すように、外枠体１０の第２ピン３２Ｂを、蓋体４０の第２ピン着脱用切欠部６５（図５参照）から第２ピン着脱用切欠部７５を通して、第２ピン用孔部７２Ｂに嵌合させる。
その嵌合状態において（その嵌合状態に到る上述の取り付け作業状態においても同様）、図１２に示すように、第２ピン３２Ｂと第１横桟部８１Ａ及び第２横桟部８１Ｂとは、横桟部８１Ａ，８１Ｂの第２ピン干渉回避用切欠部８５ｂにおいて、干渉が回避されている（後に詳述する）。
【００４３】
次に、第１ピン３２Ａ及び第２ピン３２Ｂを基準に蓋体４０を回動させるようにして、蓋体４０を外枠体１０の内側に嵌合させる。
こうして、図９に示すように、蓋体４０が外枠体１０に対して閉状態（通常の状態）とされる。その状態で、外枠体１０及び蓋体４０（枠部５０，横桟部８１，縦桟部８２）の上縁部が地表面Ｓとほぼ面一状態となる。
【００４４】
そして、桝Ｊの内部の点検等の際には、図１０〜図１２に示すように、把持部５８が把持されて把持部５８（蓋体４０）が上昇されることによって、蓋体４０が第１ピン３２Ａ及び第２ピン３２Ｂを基準に回動し（その際、長孔状の第１ピン用孔部７２Ａ及び第２ピン用孔部７２Ｂに対する第１ピン３２Ａ及び第２ピン３２Ｂの相対的な位置が変位する）、蓋体４０が開状態とされる。
一方、上述の逆の操作がされることによって、蓋体４０が閉状態とされる。
【００４５】
そして、図１１及び図１２に示すように（図６（ｂ）も参照）、蓋体４０が閉状態の際、開状態の際、及び、開閉動作される際のいずれにおいても、第１ピン３２Ａについては、第１ピン干渉回避用切欠部８５ａにおいて横桟部８１（８１Ａ，８１Ｂ）との干渉が回避され、第２ピン３２Ｂについては、第２ピン干渉回避用切欠部８５ｂにおいて横桟部８１（８１Ａ，８１Ｂ）との間の干渉が回避される。
【００４６】
すなわち、図１１に示すように、長孔状の第１ピン用孔部７２Ａに対して第１ピン３２Ａは相対的に変位（回動・移動）可能であり（このことは前述）、蓋体４０の状態（閉状態，開状態，開閉の途中の状態）によって、第１ピン３２Ａは第１ピン用孔部７２Ａに対して相対的に変位する。しかしながら、そのいずれの状態においても、横桟部８１Ａ，８１Ｂは、各第１ピン干渉回避用切欠部８５ａにおいて、第１ピン３２Ａとの干渉が回避される。
【００４７】
なお、第１横桟部８１Ａ及び第２横桟部８１Ｂ以外の横桟部８１（横桟部８１Ｕ）及びすべての縦桟部８２は、第１ピン用孔部７２Ａに対して相対的に第１ピン３２Ａがいずれの状態にあっても、本来的に第１ピン３２Ａとは干渉しない。
逆にいえば、本来的には干渉する位置にある桟部（横桟部８１）が、この実施形態では第１横桟部８１Ａ及び第２横桟部８１Ｂなのである。したがって、横桟部８１の目の細かさ（各横桟部８１の間隔）等によっては、第１横桟部８１Ａのみに第１ピン干渉回避用切欠部８５ａ（第１ピン干渉回避部）が形成される場合や、いずれの横桟部８１にも第１ピン干渉回避用切欠部８５ａ（第１ピン干渉回避部）が形成されない場合や、第１横桟部８１Ａ〜第３横桟部に第１ピン干渉回避用切欠部８５ａ（第１ピン干渉回避部）が形成される場合等があり得る。
このことは、第２ピン３２Ｂに関連しても同様である。なお、第２ピン３２Ｂについては、外枠体１０に対する蓋体４０の取り付け及び取り外しの際の干渉も回避するように、桟部（横桟部８１）に第２ピン干渉回避用切欠部８５ｂ（第２ピン干渉回避部）が形成される。
【００４８】
同様に、図１２に示すように、長孔状の第２ピン用孔部７２Ｂに対して第２ピン３２Ｂは相対的に変位（回動・移動）可能であり（このことは前述）、蓋体４０の状態（閉状態，開状態，開閉の途中の状態）によって、第２ピン３２Ｂは第２ピン用孔部７２Ｂに対して相対的に変位する。しかしながら、そのいずれの状態においても、横桟部８１Ａ，８１Ｂは、各第２ピン干渉回避用切欠部８５ｂにおいて、第２ピン３２Ｂとの干渉が回避される。
【００４９】
以上のようにして、蓋体４０は、外枠体１０に対して、円滑に、いずれの状態（閉状態，開状態，開閉の途中の状態）にもなり得るのである。
【００５０】
次に、この桝用蓋装置の効果について説明する。
図９等に示すように、この桝用蓋装置では、すべての桟部（すべての横桟部８１）の少なくとも上縁部は、外枠体１０に対する蓋体４０の取り付け及び開閉の機構のために欠落させられることなく、本来的に存在すべき位置には存在している。
すなわち、従来の桝用蓋装置（図１５及び図１６参照）のように、箱孔部（１９０Ａ，１９０Ｂ）が形成される必要はない。
このため、この桝用蓋装置（蓋体４０が閉じられた通常の状態）では、ハイヒールの靴のヒール部や、杖や、ベビーカーの輪等がその箱孔部にはまるようなことはなく、通行者は、円滑に通行することができる。
【００５１】
また、前述したように、この桝用蓋装置では、外枠体１０に対する蓋体４０の取付作業の際に、外枠体１０に対してすでに取り付けられた２本のピン３２Ａ，３２Ｂ（図２及び図３参照）に対して蓋体４０が取り付けられるため、従来の桝用蓋装置（図１５及び図１６参照）のように、ボルト（１３２Ｂ）をナット（１３４）に対して螺着させる必要がない。
このため、この桝用蓋装置では、外枠体１０に対して蓋体４０を取り付けるための作業が能率的なものとなる。
【００５２】
［他の実施形態］
次に、本発明の他の実施形態（実施形態２〜実施形態４）について、実施形態１との相違点を中心に、図１３及び図１４に基づいて説明する。なお、実施形態１と同一の要素については、同一の符号を付して、その説明を省略する。
【００５３】
図１３（ａ）〜（ｃ）に示すように、これらの実施形態では、第２ピン着脱用切欠部７６，７７，７８（第２ピン着脱用連通部）が、第２側辺部７０Ｂにおいて、第２ピン用孔部７２Ｂと第２側辺部７０Ｂの下縁部との間にわたって形成されている。
そして、基辺部６０には、第２ピン着脱用切欠部（第２ピン着脱用連通部）は形成されていない。
【００５４】
図１３（ａ）に示すように、実施形態２では、第２ピン着脱用切欠部７６が、第２側辺部７０Ｂにおいて、第２ピン用孔部７２Ｂから第２側辺部７０Ｂの下縁部に向かって、鉛直下方（枠部５０が水平にされた状態において）に形成されている。
【００５５】
図１３（ｂ）に示すように、実施形態３では、第２ピン着脱用切欠部７７が、第２側辺部７０Ｂにおいて、第２ピン用孔部７２Ｂから第２側辺部７０Ｂの下縁部に向かって、下方に向かうにつれて基辺部６０の側に向かうように、斜めに形成されている。
【００５６】
図１３（ｃ）に示すように、実施形態４では、第２ピン着脱用切欠部７８が、第２側辺部７０Ｂにおいて、第２ピン用孔部７２Ｂから第２側辺部７０Ｂの下縁部に向かって、下方に向かうにつれて基辺部６０とは反対側に向かうように、斜めに形成されている。また、第２ピン着脱用切欠部７８は、曲線状に形成されている。
【００５７】
そして、図１４に示すように、上記の実施形態２〜実施形態４では、第１横桟部８１Ａ及び／又は第２横桟部８１Ｂにおいて、適宜（すなわち、必要に応じて）、第２ピン干渉回避用切欠部８６ｂ（第２ピン干渉回避部）が、第１横桟部８１Ａ及び／又は第２横桟部８１Ｂの下縁部まで及んでいる。
こうして、第２ピン着脱用切欠部７６，７７，７８を通して第２ピン３２Ｂを第２ピン用孔部７２Ｂに導く際において、第２ピン３２Ｂと第１横桟部８１Ａ及び／又は第２横桟部８１Ｂとの干渉が回避され、第２ピン３２Ｂが第２ピン用孔部７２Ｂに対して円滑に嵌合状態とされる。
【００５８】
また、実施形態１（図５等参照）において、第２ピン着脱用切欠部７５が曲線状に形成されていてもよい。また、第２ピン着脱用切欠部７５が水平（蓋体４０が水平状態における水平）から傾斜していてもよい。その際は、第２ピン着脱用切欠部６５は、図５等に示される位置よりも下又は上に位置することになる。
【００５９】
なお、上記のものはあくまで本発明の数例の実施形態にすぎず、当業者の知識に基づいて種々の変更を加えた態様で本発明を実施できることはもちろんである。
【００６０】
例えば、外枠体及び蓋体は、矩形状に限らず、種々の形状が適用され得る。すなわち、外枠体及び蓋体は、六角形状等でもよい。また、外枠体の基縁部及び蓋体の基辺部のみが直線状で、その他の部分は円形又は楕円形でもよい。また、外枠体の基縁部及び蓋体の基辺部が、内側に凸状態に湾曲していてもよい。
【００６１】
また、桟部は、上記実施形態の横桟部及び縦桟部のように縦横に直角状に直線状に設けられている場合に限らず、斜めに形成されていたり、曲線状に形成されていてもよい。
【図面の簡単な説明】
【図１】本発明の実施形態１の桝用蓋装置を示す斜視図である。
【図２】本発明の実施形態１の桝用蓋装置を示す分解斜視図である。
【図３】本発明の実施形態１の桝用蓋装置を示す分解斜視図である。図２とは異なる方向から見た図である。
【図４】本発明の実施形態１の桝用蓋装置の蓋体の一部を示す拡大斜視図である。（ａ）は斜め上方から見た図であり、（ｂ）は斜め下方から見た図である。
【図５】本発明の実施形態１の桝用蓋装置の蓋体の一部（図４とは異なる部分）を示す拡大斜視図である。（ａ）は斜め上方から見た図であり、（ｂ）は斜め下方から見た図である。
【図６】本発明の実施形態１の桝用蓋装置の蓋体を示す縦断面図である。（ａ）は一般的な横桟部を示し、（ｂ）は第１横桟部及び第２横桟部を示す。
【図７】本発明の実施形態１の桝用蓋装置における外枠体に対する蓋体の取付工程（前半部）を示す斜視図である。
【図８】本発明の実施形態１の桝用蓋装置における外枠体に対する蓋体の取付工程（後半部）を示す斜視図である。
【図９】本発明の実施形態１の桝用蓋装置の設置状態（蓋体が閉状態）を示す図である。（ａ）は斜視図であり、（ｂ）は縦断面図である。
【図１０】本発明の実施形態１の桝用蓋装置において蓋体を開閉する状態を示す斜視図である。
【図１１】本発明の実施形態１の桝用蓋装置の要部を示す拡大切断端面図である。（ａ）では蓋体が閉状態であり、（ｃ）では蓋体が開状態であり、（ｂ）では蓋体がその中間の状態にある。
【図１２】本発明の実施形態１の桝用蓋装置の要部を示す拡大切断端面図である。図１１とは異なる部分を異なる方向から見た図である。（ａ）では蓋体が閉状態であり、（ｃ）では蓋体が開状態であり、（ｂ）では蓋体がその中間の状態にある。
【図１３】本発明の実施形態２〜実施形態４の桝用蓋装置の蓋体の要部を示す斜視図である。（ａ）は実施形態２を示し、（ｂ）は実施形態３を示し、（ｃ）は実施形態４を示す。
【図１４】本発明の実施形態２〜実施形態４の桝用蓋装置の蓋体を示す縦断面図である。第１横桟部及び／又は第２横桟部を示す。
【図１５】従来の桝用蓋装置を示す分解斜視図である。
【図１６】従来の桝用蓋装置の要部を示す拡大平面図である。
【符号の説明】
１０  外枠体
２０  基縁部
３０Ａ  第１側縁部
３０Ｂ  第２側縁部
３２Ａ  第１ピン
３２Ｂ  第２ピン
４０  蓋体
５０  枠部
６０  基辺部
６５  第２ピン着脱用切欠部（第２ピン着脱用連通部）
７０Ａ  第１側辺部
７０Ｂ  第２側辺部
７２Ａ  第１ピン用孔部
７２Ｂ  第２ピン用孔部
７５，７６，７７，７８  第２ピン着脱用切欠部（第２ピン着脱用連通部）
８１  横桟部
８１Ａ  第１横桟部
８１Ｂ  第２横桟部
８５ａ  第１ピン干渉回避用切欠部（第１ピン干渉回避部）
８５ｂ，８６ｂ  第２ピン干渉回避用切欠部（第２ピン干渉回避部）
【図１】
2004324040.tif 000003
【図２】
2004324040.tif 000004
【図３】
2004324040.tif 000005
【図４】
2004324040.tif 000006
【図５】
2004324040.tif 000007
【図６】
2004324040.tif 000008
【図７】
2004324040.tif 000009
【図８】
2004324040.tif 000010
【図９】
2004324040.tif 000011
【図１０】
2004324040.tif 000012
【図１１】
2004324040.tif 000013
【図１２】
2004324040.tif 000014
【図１３】
2004324040.tif 000015
【図１４】
2004324040.tif 000016
【図１５】
2004324040.tif 000017
【図１６】
2004324040.tif 000018